(57)【要約】      （修正有）【課題】簡易な構造で、より確実に自動開蓋が行われるワンタッチオープン式の密封容器を提供する。【解決手段】容器本体と、この容器本体の開口部に設けられるリング状の蓋枠２と、この蓋枠２にヒンジ部３を介して開口部を開閉自在に設けられる蓋体４と、この蓋体４に設けられる環状のパッキン６と、蓋体４を閉蓋状態にロックすると共に、ワンタッチでロックを解除可能なロック部５とを備える。蓋枠２は、内周面にパッキンの外周面が密接して開口部を密封する環状の垂直壁部２ｅを有する。蓋体４は、ヒンジ部３側において垂直壁部２ｅと干渉する位置に弾性素材からなる開蓋用弾発部７を有する。そして、弾発部７は、蓋体４を閉蓋しロック部５をロックした状態で垂直壁部２ｅに突き上げられて座屈するように弾性変形し、ロック部５の解除時にはその復元力によってに蓋体４を開蓋方向に付勢する。【選択図】図７
0003216140.tif 000002
【実用新案登録請求の範囲】
【請求項１】
容器本体と、この容器本体の開口部に設けられるリング状の蓋枠と、この蓋枠にヒンジ部を介して前記開口部を開閉自在に設けられる蓋体と、この蓋体に設けられる環状のパッキンと、前記蓋枠の前記開口部を挟んで前記ヒンジ部の反対側に設けられ、前記蓋体を閉蓋状態にロックし、当該ロックを解除可能に操作されるロック部とを備え、
前記蓋枠は、内周面に前記パッキンの外周面が密接して前記開口部を密封する環状の垂直壁部を有すると共に、
前記蓋体は、前記ヒンジ部側において前記垂直壁部と干渉する位置に弾性素材からなる開蓋用弾発部を有し、
この開蓋用弾発部は、前記蓋体を閉蓋し前記ロック部をロックした状態で前記垂直壁部に突き上げられて座屈するように弾性変形すると共に、前記ロック部の解除時にその復元力によってに前記蓋体を開蓋方向に付勢することを特徴とした密封容器。
【請求項２】
開蓋用弾発部は、内部が中空である請求項１記載の密封容器。
【請求項３】
開蓋用弾発部は、パッキンと同一素材により一体に形成した請求項１または２記載の密封容器。
【請求項４】
開蓋用弾発部は、断面矩形状であり、パッキン側の下角部が垂直壁部と干渉して、当該パッキン側が部分的に座屈する請求項１、２または３記載の密封容器。
【考案の詳細な説明】
【技術分野】
【０００１】
この考案は、容器本体と蓋体とをヒンジで連結すると共に、容器本体の開口部を蓋体に設けたパッキンによって密閉する密封容器に係り、閉蓋した蓋体をワンタッチで開蓋する構造に関する。
【背景技術】
【０００２】
従来、容器本体と蓋体とをヒンジで連結すると共に、容器本体の開口部を蓋体に設けたパッキンによって密閉する密封容器において、パッキンの一部に垂下突部を設け、閉蓋時に当該垂下突部を弾性変形させて蓋体を開く方向に弾発付勢するように構成したものが公知である（特許文献１）。
【先行技術文献】
【特許文献】
【０００３】
【特許文献１】特開２０１６−２１０４９４号公報
【考案の概要】
【考案が解決しようとする課題】
【０００４】
特許文献１の容器では、蓋体を開く方向に弾発付勢するために、垂下突部を曲げ変形と圧縮変形の両弾性変形状態で挾圧する部分が、本体側の勾配押圧面と蓋体側の勾配受圧面とで構成されており、本体側と蓋体側の双方の勾配角度を調整する加工が必要であって、構造が複雑である。
【０００５】
また、特許文献１の容器では、閉蓋（施蓋）状態を示した図７に示されているとおり、垂下突部１２の相当部分が勾配押圧面１３と勾配受圧面１５の隙間に食い込んでおり、しかも、その先端は突片１４と受圧突片１６の下端から膨らんだ状態で突出している。このような状態では、垂下突部１２に作用する摩擦力がパッキン５によるシール力（リング体３に対する圧接力）を超え、しかも、先端の膨出部が引っ掛かりとなって、ロックを解除しても蓋体４の自動開蓋に支障を来す（符号は特許文献１のもの）。
【０００６】
本考案は上述した課題を解決するためになされたもので、その目的とするところは、簡易な構造で、より確実に自動開蓋が行われるワンタッチオープン式の密封容器を提供することである。
【課題を解決するための手段】
【０００７】
上述した目的を達成するために本考案では、容器本体と、この容器本体の開口部に設けられるリング状の蓋枠と、この蓋枠にヒンジ部を介して前記開口部を開閉自在に設けられる蓋体と、この蓋体に設けられる環状のパッキンと、前記蓋枠の前記開口部を挟んで前記ヒンジ部の反対側に設けられ、前記蓋体を閉蓋状態にロックし、当該ロックを解除可能に操作されるロック部とを備え、前記蓋枠は、内周面に前記パッキンの外周面が密接して前記開口部を密封する環状の垂直壁部を有すると共に、前記蓋体は、前記ヒンジ部側において前記垂直壁部と干渉する位置に弾性素材からなる開蓋用弾発部を有し、この開蓋用弾発部は、前記蓋体を閉蓋し前記ロック部をロックした状態で前記垂直壁部に突き上げられて座屈するように弾性変形すると共に、前記ロック部の解除時にその復元力によってに前記蓋体を開蓋方向に付勢するという手段を用いた。
【０００８】
この手段によれば、蓋体の閉蓋時に開蓋用弾発部が弾性変形しつつ、ロック部によって閉蓋状態が維持され、ロックを解除操作すれば、開蓋用弾発部の復元力によって蓋体が瞬時に自動開蓋する。なお、ロック部は、爪等の操作子が、常時、ロック方向に付勢され、蓋体を閉蓋すれば自動的にロック状態となる一方、上記付勢に抗してロックを解除する手段については、プッシュ操作（押し込み操作）によりロックを解除するボタン式が代表的であるが、プル操作（引っ張り操作）によりロックを解除するプル式であってもよい。
【０００９】
こうした基本動作において、本考案では、蓋体側の開蓋用弾発部を蓋枠側の垂直壁部の突き上げによって座屈するように弾性変形させるようにしたので、特許文献１のように開蓋用弾発部を部材間で挾圧するような複雑な構造は必要なく、しかも、僅かな変形量で大きな復元力を得ることができ、蓋体を確実に自動開蓋することができる。
【００１０】
開蓋用弾発部は、中実であってもよいが、内部が中空であれば、垂直壁部との干渉面積を大きくしても座屈させることが容易であり、しかも、蓋体を不用意に浮き上がらせて密封性を損なうような過剰な付勢力（復元力）が発現するおそれもない。また、中空部の空気が圧縮されることによる弾性（堆積弾性）も蓋体を開蓋させる力として作用させることができる。
【００１１】
なお、開蓋用弾発部は、パッキンと別体であってもよいが、シリコーン等によってパッキンと同一素材により一体に形成することも可能であり、この場合、製造や部品管理が容易である。
【００１２】
さらに、開蓋用弾発部の形状は任意であるが、断面矩形状として、パッキン側の下角部を垂直壁部と干渉させ、当該パッキン側が部分的に座屈するように構成すれば、開蓋用弾発部を小さな力で座屈させることができ、その付勢力も適度なものとすることができる。
【考案の効果】
【００１３】
本考案によれば、開蓋用弾発部を弾性変形させる態様が垂直壁部による突き上げであり、しかも、その変形態様は座屈であるため、構造が簡単であるにもかかわらず、僅かな圧縮力で強い付勢力（復元力）が得られ、より確実に自動開蓋する密封容器を提供することができる。
【図面の簡単な説明】
【００１４】
【図１】本発明の一実施形態に係る密封容器の断面図（密封状態）
【図２】同、密封容器の断面図（半開き状態）
【図３】同、密封容器の断面図（全開状態）
【図４】同、密封容器の分解側面図
【図５】同、容器本体と蓋枠の（ａ）平面図、（ｂ）分解断面図
【図６】同、蓋体とパッキンの（ａ）分解断面図、（ｂ）底面図
【図７】同、密封容器の要部を拡大した分解断面図
【図８】同、密封容器の前方拡大断面図（密封状態）
【図９】同、密封容器の後方拡大断面図（密封状態）
【図１０】同、図９のさらなる要部拡大断面図
【図１１】同、密封容器の後方拡大断面図（半開き状態）
【図１２】同、密封容器の後方拡大断面図（全開状態）
【考案を実施するための形態】
【００１５】
以下、本考案の好ましい実施の形態を添付した図面に従って説明する。図１〜３は、本考案の一実施形態に係る密封容器の動作を示した断面図である。この密封容器は、図４に示すように、容器本体１と、この容器本体１に取り付ける蓋枠２と、この蓋枠２にヒンジ部３を介して開閉自在に設ける蓋体４と、この蓋体４の開閉を規制するロック部５と、パッキン６を備えている。
【００１６】
容器本体１は、上部に開口部１ａを形成したボトル状であって、その首部１ｂには雄ネジ１ｃを設けている。なお、容器本体１の形状はボトル状に限らず、底浅のケースや皿状など、他の形状であってもよく、また、内部も複数の部屋に仕切るなど、収容物に応じた形態とすることができる。
【００１７】
蓋枠２は、図５・７に詳細に示すように、リング状の胴部２ａの内周面に容器本体１の雄ネジ１ｃに対応する雌ネジ２ｂを形成して、容器本体１の開口部１ａに螺着するようにしている。そして、胴部２ａの片側（図面上、左側）にはロック部５を揺動自在に枢支するピン部２ｃを設けると共に、その反対側には係合穴部２ｄを設けて、この係合穴部２ｄに後述する蓋体４の係合突部４ａを嵌め込んでヒンジ部３を構成する。さらに、蓋枠２は、胴部２ａの上面側には環状の垂直壁部２ｅを上方に立ち上げて周設しており、後述する蓋体４のパッキン６をその内側に嵌め込むことで、当該垂直壁部２ｅの内周面に突設した環状のシール部２ｆにパッキン６の外周面を密接させて容器本体１の開口部１ａを密封するようにしている。
【００１８】
また、ロック部５は、両壁部５ａの間に後述する蓋体４の顎部４ｂに係合する爪部５ｂを有し、両壁部５ａの外面には蓋枠２のピン部２ｃが枢着する軸穴５ｃを有する。そして、爪部５ｂよりも下側の軸穴５ｃの近傍にスプリング５ｄを介装し、軸穴５ｃにピン部２ｃを嵌め込むことにより蓋枠２に取り付けることで、図７に示すように、操作子でもある爪部５ｂを常時、蓋体４の顎部４ｂに係合する方向に付勢している。
【００１９】
蓋体４は、図６に詳細に示すように、片側（図面上、右側）には蓋枠２の係合穴部２ｃに嵌め込んでヒンジ部３を構成する係合突部４ａを有し、その反対側にはロック部５の爪部５ｂが係合する顎部４ｂを有している。そして、裏面にはスリーブ４ｃを下向きに垂設し、このスリーブ４ｃの外周にパッキン６を装着する。
【００２０】
パッキン６は、シリコーンなどの弾性素材からなり、図６や図７に示すように、蓋枠２の垂直壁部２ｅのシール部２ｆに密接する形状の環状の筒体部６ａを有し、その上端部には外向きのフランジ６ｂを形成している。そして、筒体部６ａの片側、即ち、蓋体４の係合突部４ａ（ヒンジ３）側には、開蓋用の弾発部７を下向きに突出するように形成している。
【００２１】
この弾発部７は、パッキン６と同一素材により一体に形成されており、その形状は上面が開口する内部中空の断面矩形状としており、蓋枠２の垂直壁部２ｅのうちヒンジ部３側の直線部分２ｅ’（図５（ａ）参照）と干渉する位置及び長さを有して形成されている。
【００２２】
次に、図８〜１２にしたがって、上記構成からなる密封容器の使用方法と作用効果を説明する。まず、図１に示した閉蓋状態では、図８に示すように、蓋体４に装着したパッキン６が蓋枠２の垂直壁部２ｅの内側に嵌合しており、その外周面がシール部２ｆに密接することで容器本体１を密封状態としている。そして、ロック部５の爪部５ｂがスプリング５ｄの付勢力によって蓋体４の顎部４ｂに係合することで、密封状態を保持している。
【００２３】
この閉蓋状態において弾発部７は、図９に示すように、蓋枠２の垂直壁部２ｅに突き上げられて座屈している。また、弾発部７の中空部７ａの空気も若干圧縮されている。そして、この弾発部７の弾性変形（弾発部７の形状弾性及び中空部７ａの空気の体積弾性）に係る弾性力（復元力）によって、蓋体４を常時、開蓋する方向に付勢している。寄り詳しくは、本実施形態では、垂直壁部２ｅによる突き上げ位置を弾発部７の中心からパッキン６側（図面上、左側）に偏心させており、図１０に示すように、弾発部７の片側だけを座屈させている。
【００２４】
こうした閉蓋状態の蓋体４を開けるには、図８において、ロック部５を指等を使ってスプリング５ｄの付勢力に抗して容器側（図面上、矢印Ａ）に押す。すると、ロック部５の爪部５ｂがピン部２ｃを中心として開方向に回転し（図面上、矢印Ｂ）、蓋体４の顎部４ｂとの係合が解除されると同時に、弾性変形していた弾発部７の復元力によって、蓋体４がヒンジ部３を中心に開方向に回転して、図１１に示した角度まで持ち上がり、半開きの状態となる。つまり、本容器は、ワンタッチで自動開蓋が行われる。なお、この図１１の半開きの状態は、図２に対応し、蓋体２は約２０度の角度をもって開いている。
【００２５】
また、弾発部７は、半開き状態を示した図１１のとおり、パッキン６側の下角部７ｂが垂直壁部２ｅと干渉し、蓋体４を閉蓋したときは、上述のように、片側だけが座屈するように位置及び形状を設定している。このように構成することで、蓋体４の閉蓋時に弾発部７を小さな力で座屈させることができ、その付勢力も適度なものとすることができる。ただし、弾発部７に対する垂直壁部２ｅの突き上げ位置（干渉位置）は、本実施形態に限定されず、弾発部７の中心であってもよく、逆に、ヒンジ部３側に偏心させてもよい。
【００２６】
そして、図２や図１１の半開き状態から蓋体４をさらに開蓋方向に手動で回せば、図３に示したように、蓋体２は最大で約１２０度の角度をもって全開する。図１２は、図３に対応して蓋体４を全開した状態のヒンジ側拡大図であるが、本実施形態では、同図に示すように、全開状態を維持するために、蓋枠２と蓋体４とに互いに係合する引っ掛かり部８・９を形成している。なお、この係合力は、静止状態で維持されるが、蓋体４を閉蓋方向に回転すれば容易に解除することができる程度である。
【００２７】
本考案は、上述した実施形態に限定されず、容器本体１の形状や、これに伴う蓋枠２・蓋体４・パッキン６の形状は任意である。また、弾発部７も、中空とせず、中が詰まった中実構造であってもよく、また、弾発部７をパッキン６と別体に構成することも可能である。
【符号の説明】
【００２８】
１  容器本体
１ａ  開口部
２  蓋枠
２ｅ  垂直壁部
２ｆ  シール部
３  ヒンジ部
４  蓋体
５  ロック部
６  パッキン
７  弾発部
【図１】
0003216140.tif 000003
【図２】
0003216140.tif 000004
【図３】
0003216140.tif 000005
【図４】
0003216140.tif 000006
【図５】
0003216140.tif 000007
【図６】
0003216140.tif 000008
【図７】
0003216140.tif 000009
【図８】
0003216140.tif 000010
【図９】
0003216140.tif 000011
【図１０】
0003216140.tif 000012
【図１１】
0003216140.tif 000013
【図１２】
0003216140.tif 000014